(57)【要約】【課題】全ての光源の光値を高精度且つ短時間で取得することができる技術を提供する。【解決手段】本発明の画像表示装置は、Ｎ個（Ｎは２以上の整数）の光源を有する発光手段と、発光手段からの光を変調することで画面に画像を表示する表示手段と、Ｎ個の光源に対応するＮ個の検出手段と、光源の発光を制御する制御手段と、を有する画像表示装置であって、光源と当該光源に対応しない検出手段との組み合わせ毎に、当該光源からの光の当該検出手段の検出値に対する影響度合いを記憶する記憶手段と、制御手段によってＮ個の光源が点灯させられている状態で得られたＮ個の検出手段のＮ個の検出値、及び、組み合わせ毎の影響度合いに基づいて、光源毎に、その光源からの光を示す光値を取得する取得手段と、を有する。【選択図】図７
2015090394.tif 000002
【特許請求の範囲】
【請求項１】
Ｎ個（Ｎは２以上の整数）の光源を有する発光手段と、
前記発光手段からの光を変調することで画面に画像を表示する表示手段と、
前記Ｎ個の光源に対応するＮ個の検出手段と、
前記光源の発光を制御する制御手段と、
を有し、
前記検出手段では、前記制御手段によって前記Ｎ個の光源が点灯させられている状態で、当該検出手段に対応する光源からの光と、当該検出手段に対応する光源以外の光源からの光との合成光が検出される
画像表示装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値を取得する取得手段と、
を有することを特徴とする画像表示装置。
【請求項２】
前記検出手段毎に、前記制御手段によって前記Ｎ個の光源が点灯させられている状態で得られたその検出手段の検出値、当該検出値に対するＮ−１個の影響度合い、及び、前記Ｎ個の光源のＮ個の光値の間の関係を示す関係式が予め定められており、
前記取得手段は、前記検出手段毎の関係式からなるＮ元連立方程式を解くことにより、前記Ｎ個の光値を算出する
ことを特徴とする請求項１に記載の画像表示装置。
【請求項３】
前記制御手段によって前記Ｎ個の光源が点灯させられている状態で得られた検出手段Ａの検出値をＶＡ、前記検出値ＶＡに対する光源ＳＸ（ＳＸは１以上Ｎ−１以下の整数）からの光の影響度合いをＥＳＸ、前記検出手段Ａに対応する光源ＳＡの光値をＶＳＡ、光源ＳＸの光値をＶＳＸとした場合に、前記検出手段Ａに対する前記関係式は、
【数１】
2015090394.tif 000004
である
ことを特徴とする請求項２に記載の画像表示装置。
【請求項４】
前記発光手段は、前記検出手段毎に、ｎ個（ｎは１以上の整数）の光源を有し、
前記制御手段は、Ｎ×ｎ個の光源の光値を取得するために、Ｎ個の検出手段に対応するＮ個の光源を点灯させる処理をｎ回行う
ことを特徴とする請求項１〜３のいずれか１項に記載の画像表示装置。
【請求項５】
前記制御手段によって一の光源のみが点灯させられている状態で得られた、前記一の光源に対応する検出手段の検出値、及び、他の光源に対応する検出手段の検出値に基づいて、前記他の光源に対応する検出手段の検出値に対する前記一の光源からの光の影響度合いを取得し、前記記憶手段に記録する記録手段をさらに有する
ことを特徴とする請求項１〜４のいずれか１項に記載の画像表示装置。
【請求項６】
前記記録手段は、前記一の光源に対応する検出手段の検出値で前記他の光源に対応する検出手段の検出値を除算することにより、前記他の光源に対応する検出手段の検出値に対
する前記一の光源からの光の影響度合いを算出する
ことを特徴とする請求項５に記載の画像表示装置。
【請求項７】
前記制御手段は、各光源の光値が目標値と一致するように、各光源の発光を制御する
ことを特徴とする請求項１〜６のいずれか１項に記載の画像表示装置。
【請求項８】
前記検出手段は、光の輝度を検出する
ことを特徴とする請求項１〜７のいずれか１項に記載の画像表示装置。
【請求項９】
前記検出手段は、光の色を検出する
ことを特徴とする請求項１〜８のいずれか１項に記載の画像表示装置。
【請求項１０】
Ｎ個（Ｎは２以上の整数）の光源を有する発光手段と、
前記Ｎ個の光源に対応するＮ個の検出手段と、
前記光源の発光を制御する制御手段と、
を有し、
前記検出手段では、前記制御手段によって前記Ｎ個の光源が点灯させられている状態で、当該検出手段に対応する光源からの光と、当該検出手段に対応する光源以外の光源からの光との合成光が検出される
光源装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値を取得する取得手段と、
を有することを特徴とする光源装置。
【請求項１１】
Ｎ個（Ｎは２以上の整数）の光源を有する発光手段と、
前記発光手段からの光を変調することで画面に画像を表示する表示手段と、
前記Ｎ個の光源に対応するＮ個の検出手段と、
前記光源と当該光源に対応しない検出手段との組み合わせ毎に、当該光源からの光の当該検出手段の検出値に対する影響度合いを記憶する記憶手段と、
を有する画像表示装置の制御方法であって、
前記光源の発光を制御する制御ステップと、
前記光源毎に、その光源からの光を示す光値を取得する取得ステップと、
を有し、
前記検出手段では、前記制御ステップによって前記Ｎ個の光源が点灯させられている状態で、当該検出手段に対応する光源からの光と、当該検出手段に対応する光源以外の光源からの光との合成光が検出され、
前記取得手段では、前記制御ステップによって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値が取得される
ことを特徴とする画像表示装置の制御方法。
【請求項１２】
前記検出手段毎に、前記制御ステップによって前記Ｎ個の光源が点灯させられている状態で得られたその検出手段の検出値、当該検出値に対するＮ−１個の影響度合い、及び、前記Ｎ個の光源のＮ個の光値の間の関係を示す関係式が予め定められており、
前記取得ステップでは、前記検出手段毎の関係式からなるＮ元連立方程式を解くことにより、前記Ｎ個の光値が算出される
ことを特徴とする請求項１１に記載の画像表示装置の制御方法。
【請求項１３】
前記制御ステップによって前記Ｎ個の光源が点灯させられている状態で得られた検出手段Ａの検出値をＶＡ、前記検出値ＶＡに対する光源ＳＸ（ＳＸは１以上Ｎ−１以下の整数）からの光の影響度合いをＥＳＸ、前記検出手段Ａに対応する光源ＳＡの光値をＶＳＡ、光源ＳＸの光値をＶＳＸとした場合に、前記検出手段Ａに対する前記関係式は、
【数２】
2015090394.tif 000005
である
ことを特徴とする請求項１２に記載の画像表示装置の制御方法。
【請求項１４】
前記発光手段は、前記検出手段毎に、ｎ個（ｎは１以上の整数）の光源を有し、
前記制御ステップでは、Ｎ×ｎ個の光源の光値を取得するために、Ｎ個の検出手段に対応するＮ個の光源を点灯させる処理がｎ回行われる
ことを特徴とする請求項１１〜１３のいずれか１項に記載の画像表示装置の制御方法。
【請求項１５】
前記制御ステップによって一の光源のみが点灯させられている状態で得られた、前記一の光源に対応する検出手段の検出値、及び、他の光源に対応する検出手段の検出値に基づいて、前記他の光源に対応する検出手段の検出値に対する前記一の光源からの光の影響度合いを取得し、前記記憶手段に記録する記録ステップをさらに有する
ことを特徴とする請求項１１〜１４のいずれか１項に記載の画像表示装置の制御方法。
【請求項１６】
前記記録ステップでは、前記一の光源に対応する検出手段の検出値で前記他の光源に対応する検出手段の検出値を除算することにより、前記他の光源に対応する検出手段の検出値に対する前記一の光源からの光の影響度合いが算出される
ことを特徴とする請求項１５に記載の画像表示装置の制御方法。
【請求項１７】
前記制御ステップでは、各光源の光値が目標値と一致するように、各光源の発光が制御される
ことを特徴とする請求項１１〜１６のいずれか１項に記載の画像表示装置の制御方法。
【請求項１８】
前記検出手段は、光の輝度を検出する
ことを特徴とする請求項１１〜１７のいずれか１項に記載の画像表示装置の制御方法。
【請求項１９】
前記検出手段は、光の色を検出する
ことを特徴とする請求項１１〜１８のいずれか１項に記載の画像表示装置の制御方法。
【請求項２０】
Ｎ個（Ｎは２以上の整数）の光源を有する発光手段と、
前記Ｎ個の光源に対応するＮ個の検出手段と、
前記光源と当該光源に対応しない検出手段との組み合わせ毎に、当該光源からの光の当該検出手段の検出値に対する影響度合いを記憶する記憶手段と、
を有する光源装置の制御方法であって、
前記光源の発光を制御する制御ステップと、
前記光源毎に、その光源からの光を示す光値を取得する取得ステップと、
を有し、
前記検出手段では、前記制御ステップによって前記Ｎ個の光源が点灯させられている状態で、当該検出手段に対応する光源からの光と、当該検出手段に対応する光源以外の光源からの光との合成光が検出され、
前記取得手段では、前記制御ステップによって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値が取得される
ことを特徴とする光源装置の制御方法。
【請求項２１】
請求項１１〜２０のいずれか１項に記載の画像表示装置の制御方法の各ステップをコンピュータに実行させることを特徴とするプログラム。
【請求項２２】
請求項２１に記載の光源装置の制御方法の各ステップをコンピュータに実行させることを特徴とするプログラム。
【発明の詳細な説明】
【技術分野】
【０００１】
本発明は、画像表示装置、画像表示装置の制御方法、光源装置、光源装置の制御方法、及び、プログラムに関する。
【背景技術】
【０００２】
カラー画像を表示可能な液晶表示装置は、一般に、カラーフィルタを有する液晶パネルと、液晶パネルの背面に白色光を照射するバックライト装置と、を有する。
そして従来、バックライト装置の発光素子として、冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光ランプが主に用いられていた。しかし近年、バックライト装置の発光素子として、消費電力、寿命、色再現性、環境負荷の面で優れた発光ダイオード（ＬＥＤ：Ｌｉｇｈｔ  Ｅｍｉｔｔｉｎｇ  Ｄｉｏｄｅ）が用いられるようになってきている。
【０００３】
発光素子としてＬＥＤを有するバックライト装置（ＬＥＤバックライト装置）は、一般に、多数のＬＥＤを有する。特許文献１には、個別に発光輝度を制御可能な複数の光源（発光ブロック）を有するバックライト装置が開示されている。光源は１つ以上のＬＥＤを有する。そして、複数の光源は画面を構成する複数の分割領域に対応し、光源は対応する分割領域に光を照射する。このようなバックライト装置を有する液晶表示装置では、暗い画像が表示される分割領域に対応する光源の発光輝度を低減することにより、消費電力を低減し、表示画像のコントラストを向上することができる。画像の特徴に応じた各光源の発光輝度制御は、ローカルディミング制御と呼ばれる。
【０００４】
しかしながら、ローカルディミング制御を行うと、バックライト装置からの光に予期せぬムラ（輝度ムラや色ムラ）が生じてしまうことがある。具体的には、ローカルディミング制御を行うと、光源間の温度のずれが生じることがある。光源の温度が変化すると、光源から発せられる光の輝度や色も変化してしまう。そのため、光源間の温度のずれが生じることにより、予期せぬムラが生じてしまう。また、ローカルディミング制御を行うと、光源間の経年劣化度合いのずれが生じることがある。光源の経年劣化度合い温度が変化すると、光源から発せられる光の輝度や色も変化してしまう。そのため、光源間の経年劣化度合いのずれが生じることにより、予期せぬムラが生じてしまう。また、光源の温度や経年劣化度合いがばらつくと、各光源を同じ駆動信号で駆動した場合に、バックライト装置からの光にムラが生じてしまう。
【０００５】
このようなムラを低減する技術として、１つの光源を点灯させて当該光源からの光を光センサで検出する処理を全ての光源について行い、光センサの検出値に基づいて各光源の発光を制御（補正）する技術がある。
しかしながら、上述した技術では、光源の数が増すにつれて、全ての光源についての検出値を取得するのに要する時間が増してしまう。
特許文献２に開示の技術では、複数の光源を点灯させた状態において、複数の光源に対応する複数の光センサを用いて、複数の光源についての検出値が同時に取得される。それにより、全ての光源についての検出値を取得するのに要する時間を短縮することができる。
【先行技術文献】
【特許文献】
【０００６】
【特許文献１】特開２００１−１４２４０９号公報
【特許文献２】特願２００８−５３３０６５号公報
【発明の概要】
【発明が解決しようとする課題】
【０００７】
しかしながら、光源からの光は他の分割領域へ漏れる。そのため、特許文献２に開示の技術では、光センサの検出値が大きな検出誤差を含んでしまう。換言すれば、光センサの検出値として、その光センサに対応する光源からの光を示す光値を高精度に取得することができない。
【０００８】
本発明は、全ての光源の光値を高精度且つ短時間で取得することができる技術を提供することを目的とする。
【課題を解決するための手段】
【０００９】
本発明の第１の態様は、
Ｎ個（Ｎは２以上の整数）の光源を有する発光手段と、
前記発光手段からの光を変調することで画面に画像を表示する表示手段と、
前記Ｎ個の光源に対応するＮ個の検出手段と、
前記光源の発光を制御する制御手段と、
を有し、
前記検出手段では、前記制御手段によって前記Ｎ個の光源が点灯させられている状態で、当該検出手段に対応する光源からの光と、当該検出手段に対応する光源以外の光源からの光との合成光が検出される
画像表示装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値を取得する取得手段と、
を有することを特徴とする画像表示装置である。
【００１０】
本発明の第２の態様は、
Ｎ個（Ｎは２以上の整数）の光源を有する発光手段と、
前記Ｎ個の光源に対応するＮ個の検出手段と、
前記光源の発光を制御する制御手段と、
を有し、
前記検出手段では、前記制御手段によって前記Ｎ個の光源が点灯させられている状態で、当該検出手段に対応する光源からの光と、当該検出手段に対応する光源以外の光源からの光との合成光が検出される
光源装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値を取得する取得手段と、
を有することを特徴とする光源装置である。
【００１１】
本発明の第３の態様は、
Ｎ個（Ｎは２以上の整数）の光源を有する発光手段と、
前記発光手段からの光を変調することで画面に画像を表示する表示手段と、
前記Ｎ個の光源に対応するＮ個の検出手段と、
前記光源と当該光源に対応しない検出手段との組み合わせ毎に、当該光源からの光の当該検出手段の検出値に対する影響度合いを記憶する記憶手段と、
を有する画像表示装置の制御方法であって、
前記光源の発光を制御する制御ステップと、
前記光源毎に、その光源からの光を示す光値を取得する取得ステップと、
を有し、
前記検出手段では、前記制御ステップによって前記Ｎ個の光源が点灯させられている状態で、当該検出手段に対応する光源からの光と、当該検出手段に対応する光源以外の光源からの光との合成光が検出され、
前記取得手段では、前記制御ステップによって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値が取得される
ことを特徴とする画像表示装置の制御方法である。
【００１２】
本発明の第４の態様は、
Ｎ個（Ｎは２以上の整数）の光源を有する発光手段と、
前記Ｎ個の光源に対応するＮ個の検出手段と、
前記光源と当該光源に対応しない検出手段との組み合わせ毎に、当該光源からの光の当該検出手段の検出値に対する影響度合いを記憶する記憶手段と、
を有する光源装置の制御方法であって、
前記光源の発光を制御する制御ステップと、
前記光源毎に、その光源からの光を示す光値を取得する取得ステップと、
を有し、
前記検出手段では、前記制御ステップによって前記Ｎ個の光源が点灯させられている状態で、当該検出手段に対応する光源からの光と、当該検出手段に対応する光源以外の光源からの光との合成光が検出され、
前記取得手段では、前記制御ステップによって前記Ｎ個の光源が点灯させられている状態で得られた前記Ｎ個の検出手段のＮ個の検出値、及び、前記組み合わせ毎の影響度合いに基づいて、前記光源毎に、その光源からの光を示す光値が取得される
ことを特徴とする光源装置の制御方法である。
【００１３】
本発明の第５の態様は、上述した画像表示装置の制御方法の各ステップをコンピュータに実行させることを特徴とするプログラムである。
【００１４】
本発明の第６の態様は、上述した光源装置の制御方法の各ステップをコンピュータに実行させることを特徴とするプログラムである。
【発明の効果】
【００１５】
本発明によれば、全ての光源の光値を高精度且つ短時間で取得することができる技術を提供することを目的とする。
【図面の簡単な説明】
【００１６】
【図１】実施例１に係るカラー画像表示装置の構成の一例を示す模式図
【図２】実施例１に係る光源基板の構成の一例を示す模式図
【図３】実施例１に係るＬＥＤ基板の構成の一例を示す模式図
【図４】実施例１に係るＬＥＤ基板と光源と光センサの配置の一例を示す模式図
【図５】実施例１に係るバックライト装置の構成の一例を示すブロック図
【図６】実施例１に係る対象光源と検出用光センサの選択順序の一例を示す図
【図７】実施例１に係る発光調整処理における点灯状態の一例を示す模式図
【図８】実施例１に係る発光調整処理における光検出値の一例を示す模式図
【図９】実施例１に係る影響度合いの取得手順の一例を示すフロー図
【図１０】図９のＳ１０１とＳ１０２の処理の一例を示す模式図
【図１１】図９のＳ１０４とＳ１０５の処理の一例を示す模式図
【図１２】実施例１に係る発光調整処理の手順の一例を示すフロー図
【図１３】実施例２に係る対象光源と検出用光センサの選択順序の一例を示す図
【図１４】実施例２に係る発光調整処理における点灯状態の一例を示す模式図
【発明を実施するための形態】
【００１７】
＜実施例１＞
以下、本発明の実施例１に係る光源装置及びその制御方法について説明する。
なお、以下では、本実施例に係る光源装置が、光源装置からの光を変調することで画面に画像を表示する画像表示装置で使用されるものである場合の例を説明するが、本実施例に係る光源装置はこれに限らない。本実施例に係る光源装置は、例えば、街灯、室内照明などの照明装置であってもよい。
なお、以下では、本実施例に係る画像表示装置が、透過型の液晶表示装置である場合の例を説明するが、本実施例に係る画像表示装置はこれに限らない。本実施例に係る画像表示装置は、光源装置からの光を変調することで画面に画像を表示する画像表示装置であればよい。例えば、本実施例に係る画像表示装置は、反射型の液晶表示装置であってもよい。また、本実施例に係る画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
また、以下では、本実施例に係る画像表示装置がカラー画像表示装置である場合の例を説明するが、本実施例に係る画像表示装置はモノクロ画像表示装置であってもよい。
【００１８】
図１は、本実施例に係るカラー画像表示装置の構成の一例を示す模式図である。カラー画像表示装置は、バックライト装置（光源装置）とカラー液晶パネル１０５を有する。バックライト装置１０１は、光源基板１０１、拡散板１０２、集光シート１０３、反射型偏光フィルム１０４などを有する。
【００１９】
光源基板１０１は、カラー液晶パネル１０５の背面に照射する光（白色光）を発する発光部である。光源基板１０１は、複数の光源を有する。光源は、１つ以上の発光素子を有する。発光素子としては、発光ダイオード（ＬＥＤ）、冷陰極管、有機ＥＬ素子などを用いることができる。
【００２０】
拡散板１０２、集光シート１０３、反射型偏光フィルム１０４は、光源基板と平行に配置され、光源基板１０１からの光に光学的な変化を与える。
具体的には、拡散板１０２は、上記複数の発光素子（本実施例ではＬＥＤチップ）からの光を拡散させることにより、光源基板１０１を面光源として機能させる。
集光シート１０３は、拡散板１０２で拡散し、様々な入射角度で入射した白色光を、正面方向（カラー液晶パネル１０５側）に集光することにより、正面輝度（正面方向の輝度）を向上させる。
反射型偏光フィルム１０４は、入射した白色光を効率的に偏光することにより、正面輝度を向上させる。
拡散板１０２、集光シート１０３、反射型偏光フィルム１０４は重ねて用いられる。以後、これらの光学部材をまとめて光学シート１０６と呼ぶ。なお、光学シート１０６には、上述した光学部材以外の部材が含まれていてもよいし、上述した光学部材の少なくともいずれか１つが含まれていなくてもよい。また、光学シート１０６とカラー液晶パネル１０５は一体で構成されていてもよい。
【００２１】
カラー液晶パネル１０５は、光源基板１０１からの光を変調することで画面に画像を表
示する表示部である。具体的には、カラー液晶パネル１０５は、光源基板１０１から発せられ、光学シート１０６で光学的な変化が与えられた光を変調することで画面に画像を表示する。本実施例では、カラー液晶パネル１０５は、赤色の光を透過するＲサブ画素、緑色の光を透過するＧサブ画素、青色の光を透過するＢサブ画素からなる画素を複数有しており、照射された白色光の輝度をサブ画素毎に制御することでカラー画像を表示する。
【００２２】
以上で説明したような構成（図１に示すような構成）のバックライト装置を、一般的に直下型バックライト装置と呼ぶ。
【００２３】
図２は、光源基板１０１の構成の一例を示す模式図である。
光源基板１０１は、複数のＬＥＤ基板１１０を有する。
図２の例では、光源基板１０１は、３行×４列のマトリクス状に配置された１２個のＬＥＤ基板１１０を有する。なお、本実施例では光源基板１０１が複数のＬＥＤ基板を有するものとしたが、これに限らない。光源基板１０１は、１つのＬＥＤ基板を有していてもよい。例えば、光源基板１０１は、上記１２個のＬＥＤ基板１１０を合わせた１つのＬＥＤ基板を有していてもよい。
【００２４】
図３は、ＬＥＤ基板１１０の構成の一例を示す模式図である。
ＬＥＤ基板１１０は、ｎ個（ｎは１以上の整数）の光源１１１を有する。図３の例では、ＬＥＤ基板１１０は、２行×２列の合計４つの光源１１１を有する。そのため、光源基板１０１は、６行×８列の合計４８個の光源１１１を有する。
【００２５】
各光源１１１には１つ以上の発光素子（ＬＥＤチップ１１２）が設けられている。図３の例では、１つの光源１１１に２行２列の合計４つのＬＥＤチップ１１２が設けられている。そして、各光源１１１の発光輝度は個別に制御することができる。例えば、１つの光源１１１に設けられた４つのＬＥＤチップ１１２は直列接続されている。ＬＥＤチップ１１２としては、例えば、白色光を発する白色ＬＥＤを用いることができる。
なお、ＬＥＤチップ１１２として、発する光の色が互いに異なる複数のＬＥＤ（例えば、赤色光を発する赤色ＬＥＤ、緑色光を発する緑色ＬＥＤ、青色光を発する青色ＬＥＤなど）を用いて白色光が得られるように構成されたチップを用いてもよい。
なお、本実施例では、複数のＬＥＤチップ１１２が等間隔に配置されているものとするが、複数のＬＥＤチップ１１２は等間隔に配置されていなくてもよい。
【００２６】
ＬＥＤ基板１１０には、光源基板１０１からの光を検出し、検出値（光検出値）を出力する光センサ１１３（検出部；検出手段）が設けられている。光源１１１からの光の一部は、光学シート（拡散板や反射型偏光フィルム）などで反射され、光源側へ戻される。光センサ１１３は、光学シート１０６に対向するように設けられており、光学シート１０６で反射され光源側に戻された反射光を検出する。反射光の輝度から、光源１１１の発光輝度を予測することができる。本実施例では、ＬＥＤ基板１１０毎（４つの光源毎）に１つの光センサ１１３が設けられている。そのため、光源基板１０１は、１２個の光センサ１１３を有する。光センサ１１３としては、フォトダイオードやフォトトランジスタなど、光検出値として輝度を出力するセンサを用いることができる。また、輝度の他に色の変化などを出力するカラーセンサを、光センサ１１３として用いてもよい。
【００２７】
図４は、正面方向（カラー液晶パネル１０５側）から見た場合の、ＬＥＤ基板１１０、光源１１１、及び、光センサ１１３の配置の一例を示す模式図である。左上端に配置されたＬＥＤ基板１１０（１，１）の右側には、ＬＥＤ基板１１０（１，２）、ＬＥＤ基板１１０（１，３）、及び、ＬＥＤ基板１１０（１，４）が順に並んでいる。ＬＥＤ基板１１０（１，１）の下側には、ＬＥＤ基板１１０（２，１）とＬＥＤ基板１１０（３，１）が順に並んでいる。ＬＥＤ基板１１０（１，２）の下側には、ＬＥＤ基板１１０（２，２）
とＬＥＤ基板１１０（３，２）が順に並んでいる。ＬＥＤ基板１１０（１，３）の下側には、ＬＥＤ基板１１０（２，３）とＬＥＤ基板１１０（３，３）が順に並んでいる。ＬＥＤ基板１１０（１，４）の下側には、ＬＥＤ基板１１０（２，４）とＬＥＤ基板１１０（３，４）が順に並んでいる。
ＬＥＤ基板１１０（Ｘ，Ｙ）（Ｘ＝１〜３，Ｙ＝１〜４）は、４つの光源１１１（Ｘ，Ｙ，Ｚ）（Ｚ＝１〜４）、及び、１つの光センサ１１３（Ｘ，Ｙ）を有する。例えば、ＬＥＤ基板１１０（１，１）は、光源１１１（１，１，１）、光源１１１（１，１，２）、光源１１１（１，１，３）、光源１１１（１，１，４）、及び、光センサ１１３（１，１）を有する。Ｚは、光源１１１の位置を示す値である。具体的には、１行１列目の位置でＺ＝１となり、１行２列目の位置でＺ＝２となり、２行１列目の位置でＺ＝３となり、２行２列目の位置でＺ＝４となる。
【００２８】
図５は、バックライト装置の構成の一例を示すブロック図である。
【００２９】
１２個のＬＥＤ基板１１０の構成は同等であるため、一例としてＬＥＤ基板１１０（１，１）について説明する。ＬＥＤ基板１１０（１，１）は、光源１１１（１，１，１）〜１１１（１，１，４）を有する。光源１１１（１，１，１）〜１１１（１，１，４）は、ＬＥＤドライバ１２０（１，１，１）〜（１，１，４）により駆動される。光源１１１（１，１，１）からの光１２１（１，１，１）の大部分はカラー液晶パネル１０５（図５では不図示）へ入射するが、光１２１（１，１，１）の一部分は光学シート１０６（図５では不図示）で反射して光センサ１１３（１，１）に入射する。光源１１１（１，１，２）〜１１１（１，１，４）からの光１２１（１，１，２）〜（１，１，４）についても、同様である。
【００３０】
本実施例では、定期的もしくは特定のタイミングで、予期せぬムラ（輝度ムラや色ムラ）を低減するための発光調整処理が行われる。詳細は後述するが、発光調整処理では、光源１１１から発せられた光の検出が行われ、光の検出結果に基づいて光源１１１の発光が制御（調整）される。予期せぬムラは、例えば、光源１１１間の温度のずれ、光源１１１間の経年劣化度合いのずれ、などによって生じる。輝度ムラを低減する場合には、例えば、光の輝度が検出され、光源１１１の発光輝度が制御される。色ムラを低減する場合には、例えば、光の色が検出され、光源１１１の発光色が制御される。
【００３１】
光センサ１１３（１，１）は、光センサ１１３（１，１）に入射した光を検出し、当該光を表すアナログ値１２２（１，１）を出力する。
【００３２】
バックライト装置は、光センサ１１３（１，１）〜１１３（３，４）に対応するＡ／Ｄコンバータ１２３（１，１）〜１２３（３，４）を有する。Ａ／Ｄコンバータ１２３（１，１）は、光センサ１１３（１，１）から出力されたアナログ値１２２（１，１）をデジタル値１２４（１，１）にアナログ−デジタル変換し、デジタル値１２４（１，１）をマイコン１２５に出力する。他のＡ／Ｄコンバータ１２３も、同様に、対応する光センサ１１３から出力されたアナログ値１２２をデジタル値１２４にアナログ−デジタル変換し、デジタル値１２４をマイコン１２５に出力する。
【００３３】
不揮発メモリ１２６には、複数の光源１１１のそれぞれについて、画像表示装置の製造時や検査時などに決定された、光源１１１からの光を示す光値の目標値が予め記録されている。各光源１１１の光値が目標値と一致するように各光源１１１が発光した場合、バックライト装置からはムラの無い光が発せられる。
また、不揮発メモリ１２６は、後述する影響情報を記憶する。
【００３４】
マイコン１２５は、光センサ１１３の光検出値（具体的にはデジタル値１２４）に基づ
いて光源１１１の発光（発光輝度や発光色）を制御する。本実施例では、マイコン１２５は、光センサ１１３の光検出値に基づいて光源１１１の光値を取得し、光源１１１の光値が不揮発メモリ１２６に記録された目標値と一致するように光源１１１の発光を制御する。
発光輝度は、例えば、マイコン１２５からＬＥＤドライバ１２０へ出力するＬＥＤドライバ制御信号１２７を調整することにより調整される。ＬＥＤドライバ１２０は、ＬＥＤドライバ制御信号に応じて、光源１１１を駆動する。ＬＥＤドライバ制御信号は、例えば、光源１１１に印加するパルス信号（電流または電圧のパルス信号）のパルス幅を表す。その場合、ＬＥＤドライバ制御信号を調整することにより、光源１１１の発光輝度がＰＷＭ制御される。なお、ＬＥＤドライバ制御信号はこれに限らない。例えば、ＬＥＤドライバ制御信号は、光源１１１に印加するパルス信号の波高値であってもよいし、パルス幅と波高値の両方であってもよい。
発光色は、例えば、光源１１１が有する複数の発光素子（発する光の色が互いに異なる複数の発光素子）間の発光輝度の比を調整することにより調整される。
光値の取得方法の詳細については、後述する。
【００３５】
以下に、本実施例に係る発光調整処理の詳細を説明する。
本実施例に係る発光調整処理では、マイコン１２５により、ＬＥＤ基板１１０が異なるＮ個（Ｎは２以上の整数）の光源が（同時に）点灯させられる。
そして、上述したような点灯状態で、Ｎ個の光源に対応するＮ個の光センサ１１３を用いた光検出が行われる。光源１１１からの光は、対応する光センサ１１３だけでなく、他の光センサ１１３へも入射される（光漏れ）。そのため、光センサ１１３では、当該光センサ１１３に対応する光源からの光と、当該光源以外の光源からの光との合成光が検出される。
その後、マイコン１２５により、光検出の結果（Ｎ個の光センサ１３３のＮ個の光検出値）と、不揮発メモリ１２６が記憶する影響情報とに基づいて、Ｎ個の光源のＮ個の光値が取得される。そのため、Ｎ個のＬＥＤ基板１１０が有するＮ×ｎ個の光源の光値を取得するためには、マイコン１２５により、Ｎ個の光源を点灯させる処理がｎ回行われることとなる。影響情報は、光源１１１と当該光源１１１に対応しない光センサ１１３との組み合わせ毎に、当該光源１１１からの光の当該光センサ１１３の光検出値に対する影響度合いを示す情報である。
【００３６】
本実施例では、影響情報を用いることにより、光値を高精度に取得することができる。具体的には、上述した光漏れによる誤差が低減された光値を取得することができる。また、本実施例では、Ｎ個の光源を同時に点灯させてＮ個の光源の光値が取得される。それにより、Ｎ個の光源の光値を取得するのに要する時間を短縮することができ、ひいては全ての光源の光値を取得するのに要する時間を短縮することができる。具体的には、光源を１つずつ点灯させて光値を取得する構成に場合よりも短い時間で複数の光源の光値を取得することができる。
【００３７】
なお、本実施例では、光値の取得がマイコン１２５によって行われる例を説明するが、光値の取得はマイコン１２５以外の機能部によって行われてもよい。例えば、バックライト装置が、各光源の光値を取得する取得部を有していてもよい。
なお、影響情報は、画像表示装置の製造時や検査時などに生成され、不揮発メモリ１２６に記録されてもよいし、そうでなくてもよい。例えば、バックライト装置が、影響情報を取得（生成）し、不揮発メモリ１２６に記録する記録部を有していてもよい。そのような処理は、マイコン１２５や上述した取得部で行われてもよい。
【００３８】
以下、Ｎ＝２の場合の例を説明する。
【００３９】
図６は、発光調整処理において点灯させる光源１１１、及び、発光調整処理において光検出に使用する光センサ１１３の選択順序の一例を示す図である。本実施例では、図６に示す順番で、第１対象光源と第２対象光源が点灯させられる。そして、第１対象光源と第２対象光源が点灯させられた状態で、第１検出用光センサと第２検出用光センサを用いた光検出が行われる。
【００４０】
図６の例では、正面方向（カラー液晶パネル１０５側）から見てバックライト装置の左半分の領域内に配置された複数の光源１１１のうちの１つが第１対象光源として選択される。また、右半分の領域内に配置された複数の光源１１１のうちの１つが第２対象光源として選択される。そして、第１対象光源に対応する光センサ１１３が第１検出用光センサとして選択され、第２対象光源に対応する光センサ１１３が第２検出用光センサとして選択される。換言すれば、第１対象光源と同じＬＥＤ基板１１０に配置された光センサ１１３が第１検出用光センサとして選択され、第２対象光源と同じＬＥＤ基板１１０に配置された光センサ１１３が第２検出用光センサとして選択される。
【００４１】
例えば、１番目の発光調整処理においては、光源１１１（１，１，１）が第１対象光源として選択され、光源１１１（１，３，１）が第２対象光源として選択される。また、光センサ１１３（１，１）が第１検出用光センサとして選択され、光センサ１１３（１，３）が第２検出用光センサとして選択される。そして、光源１１１（１，１，１）と光源１１１（１，３，１）のみが点灯させられた状態で、光センサ１１３（１，１）と光センサ１１３（１，３）を用いた光検出が行われる。
【００４２】
図７は、１番目の発光調整処理における点灯状態の一例を示す模式図である。
図７の例では、光源１１１（１，１，１）と光源１１１（１，３，１）の合計２つの光源１１１が点灯しており、他の光源１１１は全て消灯している。図７に示すように、光源１１１（１，１，１）に対応する光センサ１１３（１，１）には、光源１１１（１，１，１）からの光である対応光１３０（１，１，１）と、光源１１１（１，３，１）からの光である漏れ光１３１（１，３，１）と、が入射する。光源１１１（１，３，１）に対応する光センサ１１３（１，３）には、光源１１１（１，３，１）からの対応光１３０（１，３，１）と光源１１１（１，１，１）からの漏れ光１３１（１，１，１）とが入射する。光センサ１１３に入射する対応光１３０は、当該光センサ１１３に対応する光源からの光である。光センサ１１３に入射する漏れ光１３１は、当該光センサ１１３に対応しない光源からの光である。
【００４３】
図８は、１番目の発光調整処理における光センサ１１３の光検出値の一例を示す模式図である。
図８（Ａ）は、光センサ１１３（１，１）の光検出値を示す。図８（Ａ）に示すように、光センサ１１３（１，１）の光検出値には、光源１１１（１，１，１）からの対応光１３０（１，１，１）を示す成分値Ｖ１３０（１，１，１）と光源１１１（１，３，１）からの漏れ光１３１（１，３，１）を示す成分値Ｖ１３１（１，３，１）とが含まれる。
図８（ｂ）は、光センサ１１３（１，３）の光検出値を示す。図８（Ｂ）に示すように、光センサ１１３（１，３）の光検出値には、光源１１１（１，３，１）からの対応光１３０（１，３，１）を示す成分値Ｖ１３０（１，３，１）と光源１１１（１，１，１）からの漏れ光１３１（１，１，１）を示す成分値Ｖ１３１（１，１，１）とが含まれる。
以下では、成分値ＶＡと成分値ＶＢを含む光検出値をＶ[Ａ＋Ｂ]と記載する。例えば、光源１１１（１，１，１）と光源１１１（１，３，１）のみが点灯させられた状態における光センサ１１３（１，３）の光検出値を、Ｖ[１３０（１，３，１）＋１３１（１，１
，１）]と記載する。
【００４４】
マイコン１２５では、影響情報を用いて、光センサ１１３の光検出値から漏れ光１３１
を示す成分値Ｖ１３１が除去される。それにより、対応光１３０を示す光値が取得される。
なお、同時に点灯させる２個（Ｎ個）の光源１１１として、距離が離れた２個の光源１１１を選択すれば、漏れ光による誤差の小さい光検出値を取得することができるが、本実施例によれば、漏れ光による誤差がより低減された光値を取得することができる。
【００４５】
以下に、影響情報の取得方法の一例を説明する。
本実施例では、一の光源のみが点灯させられる。そして、そのような状態で得られた、一の光源に対応する光センサの光検出値、及び、他の光源に対応する光センサの光検出値に基づいて、他の光源に対応する光センサの光検出値に対する一の光源からの光の影響度合いＥが取得される。複数の光源を順番に点灯させて上記処理を行うことにより、影響情報が取得される。
なお、一の光源に対応する光センサ以外の全ての光センサについて、一の光源からの光の影響度合いＥが取得されてもよいし、そうでなくてもよい。例えば、発光調整処理において一の光源と同時に点灯させられる光源に対応する光センサのみについて、一の光源からの光の影響度合いＥが取得されてもよい。
なお、本実施例では、１つの画像表示装置を用いて影響度合いＥが取得される例を説明するが、これに限らない。複数の画像表示装置から複数の影響度合いを取得し、複数の影響度合いの代表値（平均値、最頻値、中間値、最大値、最小値、など）が最終的な影響度合いＥとして取得されてもよい。
【００４６】
図９は、影響度合いＥの取得手順の一例を示すフロー図である。
なお、以下の処理はマイコン１２５によって行われてもよいし、そうでなくてもよい。例えば、影響情報を取得し記録する記録部をバックライト装置が有する場合には、Ｓ１０３やＳ１０６の処理は記録部によって行われてもよい。また、以下の処理の一部または全部は画像表示装置の製造者によって行われてもよい。
【００４７】
まず、ｍ番目の発光調整処理における第１対象光源である光源Ａｍのみが点灯させられる（Ｓ１０１）。
なお、図９の処理フローの開始時に、ｍの値は１に初期化されるものとする。
【００４８】
次に、ｍ番目の発光調整処理における検出用光センサの光検出値が取得される（Ｓ１０２）。具体的には、光源Ａｍに対応する第１検出用光センサを用いて、光源Ａｍからの対応光１３０（Ａｍ）を示す光検出値Ｖ１３０（Ａｍ）が取得される。そして、ｍ番目の発光調整処理における第２対象光源である光源Ｂｍに対応する第２検出用光センサを用いて、光源Ａｍからの漏れ光１３１（Ａｍ）を示す光検出値Ｖ１３１（Ａｍ）が取得される。
図１０は、ｍ＝１のときに行われるＳ１０１とＳ１０２の処理の一例を示す模式図である。ｍ＝１のときには、光源１１１（１，１，１）のみが点灯させられる。そして、光センサ１１３（１，１）を用いて、光源１１１（１，１，１）からの対応光１３０（１，１，１）を示す光検出値Ｖ１３０（１，１，１）が取得される。また、光センサ１１３（１，３）を用いて、光源１１１（１，１，１）からの漏れ光１３１（１，１，１）を示す光検出値Ｖ１３１（１，１，１）が取得される。
【００４９】
そして、光検出値Ｖ１３０（Ａｍ）と光検出値Ｖ１３１（Ａｍ）に基づいて、光源Ｂｍに対応する光センサの光検出値に対する光源Ａｍからの光（漏れ光）の影響度合いＥＡｍが算出される（Ｓ１０３）。本実施例では、以下の式１を用いて、影響度合いＥＡｍが算出される。即ち、光検出値Ｖ１３０（Ａｍ）で光検出値Ｖ１３１（Ａｍ）を除算することにより、影響度合いＥＡｍが算出される。
ＥＡｍ＝Ｖ１３１（Ａｍ）／Ｖ１３０（Ａｍ）  ・・・（式１）
影響度合いＥＡｍは、不揮発メモリ１２６に記録される。
【００５０】
次に、光源Ｂｍのみが点灯させられる（Ｓ１０４）。
【００５１】
そして、ｍ番目の発光調整処理における検出用光センサの光検出値が取得される（Ｓ１０５）。具体的には、光源Ｂｍに対応する第２検出用光センサを用いて、光源Ｂｍからの対応光１３０（Ｂｍ）を示す光検出値Ｖ１３０（Ｂｍ）が取得される。そして、光源Ａｍに対応する第１検出用光センサを用いて、光源Ｂｍからの漏れ光１３１（Ｂｍ）を示す光検出値Ｖ１３１（Ｂｍ）が取得される。
図１１は、ｍ＝１のときに行われるＳ１０４とＳ１０５の処理の一例を示す模式図である。ｍ＝１のときには、光源１１１（１，３，１）のみが点灯させられる。そして、光センサ１１３（１，３）を用いて、光源１１１（１，３，１）からの対応光１３０（１，３，１）を示す光検出値Ｖ１３０（１，３，１）が取得される。また、光センサ１１３（１，１）を用いて、光源１１１（１，３，１）からの漏れ光１３１（１，３，１）を示す光検出値Ｖ１３１（１，３，１）が取得される。
【００５２】
次に、光検出値Ｖ１３０（Ｂｍ）と光検出値Ｖ１３１（Ｂｍ）に基づいて、光源Ａｍに対応する光センサの光検出値に対する光源Ｂｍからの光（漏れ光）の影響度合いＥＢｍが算出される（Ｓ１０６）。本実施例では、以下の式２を用いて、影響度合いＥＢｍが算出される。即ち、光検出値Ｖ１３０（Ｂｍ）で光検出値Ｖ１３１（Ｂｍ）を除算することにより、影響度合いＥＢｍが算出される。
ＥＢｍ＝Ｖ１３１（Ｂｍ）／Ｖ１３０（Ｂｍ）  ・・・（式２）
影響度合いＥＢｍは、不揮発メモリ１２６に記録される。
【００５３】
そして、ｍ＝２４か否かが判断される（Ｓ１０７）。ｍ＝２４の場合には、全ての光源について影響度合いＥが算出されたと判断され、本フローが終了される。ｍの値が２４未満の場合には、影響度合いＥが算出されていない光源が存在すると判断され、Ｓ１０８においてｍが１だけインクリメントされ、Ｓ１０１に処理が戻される。そして、全ての光源について影響度合いＥが算出されるまで、Ｓ１０１〜Ｓ１０８の処理が繰り返される。具体的には、ｍ＝２４になるまで、Ｓ１０１〜Ｓ１０８の処理が繰り返される。
【００５４】
以下に、マイコン１２５による光値の取得方法の一例を説明する。
本実施例では、発光調整処理で同時に使用されるＮ個の光センサに対応するＮ個の関係式が予め用意されている。そのような関係式は、例えば、不揮発メモリ１２６に予め記録されている。そして、マイコン１２５は、光センサ毎（検出手段毎）の関係式からなるＮ元連立方程式を解くことにより、発光調整処理で同時に点灯させられるＮ個の光源のＮ個の光値を算出する。
【００５５】
本実施例では、Ｎ個の光源が点灯させられている状態で得られた光センサ（関係式に対応する光センサ）の検出値、当該検出値に対するＮ−１個の影響度合い、及び、Ｎ個の光源のＮ個の光値の間の関係を示す関係式が予め用意されている。具体的には、以下の式３が予め用意されている。式３において、ＶＡは、マイコン１２５によってＮ個の光源が点灯させられている状態で得られた光センサＡ（検出手段Ａ）の検出値である。ＥＳＸは、検出値ＶＡに対する光源ＳＸ（ＳＸは１以上Ｎ−１以下の整数）からの光の影響度合いである。光源ＳＸは、Ｎ個の光源のうちの、光センサＡに対応する光源ＳＡとは異なる光源である。ＶＳＡは光源ＳＡの光値であり、ＶＳＸは光源ＳＸの光値である。
【数１】
2015090394.tif 000003
【００５６】
図１２は、発光調整処理の手順の一例を示すフロー図である。
なお、以下の処理はマイコン１２５によって行われてもよいし、そうでなくてもよい。例えば、光値を取得する取得部をバックライト装置が有する場合には、Ｓ２０２〜Ｓ２０４の処理は取得部によって行われてもよい。
なお、図１２の処理フローの開始時に、ｍの値は１に初期化されるものとする。
【００５７】
まず、ｍ番目の発光調整処理における第１対象光源と第２対象光源である光源Ａｍと光源Ｂｍのみが点灯させられる（Ｓ２０１）。
【００５８】
次に、ｍ番目の発光調整処理における検出用光センサの光検出値が取得される（Ｓ２０２）。具体的には、光源Ａｍに対応する第１検出用光センサを用いて、光検出値Ｖ［１３０（Ａｍ）＋１３１（Ｂｍ）］が取得され、光源Ｂｍに対応する第２検出用光センサを用いて、光検出値Ｖ［１３０（Ｂｍ）＋１３１（Ａｍ）］が取得される。
【００５９】
そして、不揮発メモリ１２６から影響度合いＥＡｍ，ＥＢｍが読み出される（Ｓ２０３）。
【００６０】
次に、Ｓ２０２で取得された検出値、及び、Ｓ２０３で読み出された影響度度合いを用いて、光源Ａｍの光値Ｖ１３０（Ａｍ）と光源Ｂｍの光値Ｖ１３０（Ｂｍ）が算出される（Ｓ２０４）。
【００６１】
Ｓ２０４の処理について詳しく説明する。
図８（Ａ）に示されているように、光検出値Ｖ［１３０（Ａｍ）＋１３１（Ｂｍ）］は、成分値Ｖ１３０（Ａｍ）と成分値Ｖ１３１（Ｂｍ）の和である。そして、式２に示されているように、成分値Ｖ１３１（Ｂｍ）は、成分値Ｖ１３０（Ｂｍ）と影響度合いＥＢｍの積である。そのため、光検出値Ｖ［１３０（Ａｍ）＋１３１（Ｂｍ）］、成分値Ｖ１３０（Ａｍ）、成分値Ｖ１３０（Ｂｍ）、及び、影響度合いＥＢｍの間には、以下の式４の関係が成り立つ。そして、光源Ａｍに対応する第１検出用光センサについての関係式として、以下の式４が予め用意されている。
Ｖ［１３０（Ａｍ）＋１３１（Ｂｍ）］＝Ｖ１３０（Ａｍ）＋（Ｖ１３０（Ｂｍ）×ＥＢｍ）
・・・（式４）
同様に、光検出値Ｖ［１３０（Ｂｍ）＋１３１（Ａｍ）］、成分値Ｖ１３０（Ａｍ）、成分値Ｖ１３０（Ｂｍ）、及び、影響度合いＥＡｍの間には、以下の式５の関係が成り立つ。そして、光源Ｂｍに対応する第２検出用光センサについての関係式として、以下の式５が予め用意されている。
Ｖ［１３０（Ｂｍ）＋１３１（Ａｍ）］＝Ｖ１３０（Ｂｍ）＋（Ｖ１３０（Ａｍ）×ＥＡｍ）
・・・（式５）
Ｓ２０４では、式４と式５からなる２元連立方程式を解くことにより、成分値Ｖ１３０
（Ａｍ）が光源Ａｍの光値として算出され、成分値Ｖ１３０（Ｂｍ）が光源Ｂｍの光値として算出される。
【００６２】
次に、Ｓ２０４で算出された光値Ｖ１３０（Ａｍ），Ｖ１３０（Ｂｍ）が目標値と一致するように、光源Ａｍ，Ｂｍの発光が制御される（Ｓ２０５）。具体的には、光値Ｖ１３０（Ａｍ）が光源Ａｍの目標値と一致するように、光源Ａｍの発光が制御され、光値Ｖ１３０（Ｂｍ）が光源Ｂｍの目標値と一致するように、光源Ｂｍの発光が制御される。
【００６３】
そして、ｍ＝２４か否かが判断される（Ｓ２０６）。ｍ＝２４の場合には、全ての光源の光値が算出されたと判断され、本フローが終了される。ｍの値が２４未満の場合には、光値が算出されていない光源が存在すると判断され、Ｓ２０７においてｍが１だけインクリメントされ、Ｓ２０１に処理が戻される。そして、全ての光源の光値が算出されるまで、Ｓ２０１〜Ｓ２０７の処理が繰り返される。具体的には、ｍ＝２４になるまで、Ｓ２０１〜Ｓ２０７の処理が繰り返される。
【００６４】
なお、Ｓ２０４の次にＳ２０６へ処理が進められてもよい。そして、全ての光源の光値が取得された後に、全ての光源の発光が制御されてもよい。
【００６５】
以上述べたように、本実施例によれば、光源と当該光源に対応しない光センサとの組み合わせ毎に、当該光源からの光の当該光センサの光検出値に対する影響度合いを示す影響情報が予め用意されている。そして、Ｎ個の光源が点灯させられている状態で得られたＮ個の光センサのＮ個の光検出値、及び、影響情報に基づいて、Ｎ個の光源のＮ個の光値が取得される。それにより、全ての光源の光値を高精度且つ短時間で取得することができる。具体的には、Ｎ個の光源が同時に点灯させられるため、全ての光源の光値を取得するのに要する時間を、光源を１つずつ点灯させる場合の時間よりも短縮することができる。そして、影響情報を用いることにより、光検出値から漏れ光の影響を除外することができ、光値を高精度に取得することができる。
また、本実施例によれば、取得された光値を用いて光源の発光が制御されるため、光源の発光を高精度に制御することができる。例えば、光源１１１間の温度のずれ、光源１１１間の経年劣化度合いのずれ、などによって生じるムラ（予期せぬムラ）を高精度に低減することができる。
【００６６】
なお、本実施例では、光値の目標値が予め定められている例を説明したが、目標値はこれに限らない。例えば、目標値は入力画像データに基づいて決定されてもよい。具体的には、画面の領域のうちの光源に対応する領域に表示すべき画像データの明るさを示す特徴量が取得され、取得された特徴量に応じて当該光源の目標値が決定されてもよい。また、入力画像データの全体の明るさを示す特徴量が取得され、取得された特徴量に応じて各光源の目標値が決定されてもよい。その場合、画像データの明るさが高いほど高い値が目標値として決定されてもよいし、画像データの明るさが低いほど高い値が目標値として決定されてもよい。
【００６７】
なお、本実施例では、Ｎ個の関係式からなるＮ元連立方程式を解くことでＮ個の光値を算出する例を説明したが、これに限らない。例えば、Ｎ個の光検出値と１つの影響度合いとを入力して１つの光値を出力するテーブルや関数を用いて、光値が取得されてもよい。具体的には、光検出値Ｖ［１３０（Ａｍ）＋１３１（Ｂｍ）］、光検出値Ｖ［１３０（Ｂｍ）＋１３１（Ａｍ）］、及び、影響度合いＥＡｍを入力して光値Ｖ１３０（Ａｍ）を出力し、光検出値Ｖ［１３０（Ａｍ）＋１３１（Ｂｍ）］、光検出値Ｖ［１３０（Ｂｍ）＋１３１（Ａｍ）］、及び、影響度合いＥＢｍを入力して光値Ｖ１３０（Ｂｍ）を出力するテーブルや関数を用いて、光値が取得されてもよい。
【００６８】
なお、本実施例では、光検出値の比が影響度合いＥとして算出され、光検出値に影響度合いＥを乗算することで漏れ光を示す成分値が算出される例を説明したが、これに限らない。例えば、光検出値の差が影響度合いＥとして算出されてもよい。そして、光検出値に影響度合いＥを加算または減算することにより、漏れ光を示す成分値が算出されてもよい。
【００６９】
＜実施例２＞
以下、本発明の実施例２に係る光源装置及びその制御方法について説明する。
実施例１では、発光調整処理において２つの光源を同時に点灯させる例を説明した。本実施例では、発光調整処理において２つより多くの光源を同時に点灯させる例を説明する。具体的には、発光調整処理において３つの光源を同時に点灯させる例を説明する。即ち、本実施例では、Ｎ＝３の場合の例を説明する。
なお、以下では、実施例１と異なる構成や処理について詳しく説明し、実施例１と同じ構成や処理については説明を省略する。
【００７０】
本実施例に係る画像表示装置の大まかな構成は実施例１（図１）と同じである。また、本実施例に係るバックライト装置の大まかな構成は実施例１（図２〜５）と同じである。
【００７１】
図１３は、発光調整処理において点灯させる光源１１１、及び、発光調整処理において光検出に使用する光センサ１１３の選択順序の一例を示す図である。本実施例では、図１３に示す順番で、第１対象光源、第２対象光源、及び、第３対象光源の３つの光源１１１が点灯させられる。そして、上記３つの光源１１１が点灯させられた状態で、第１検出用光センサ、第２検出用光センサ、及び、第３検出用光センサの３つの光センサ１１３を用いた光検出が行われる。
【００７２】
図１３の例では、正面方向（カラー液晶パネル１０５側）から見てバックライト装置の上側１／３の領域内に配置された複数の光源１１１のうちの１つが第１対象光源として選択される。そして、下側１／３の領域内に配置された複数の光源１１１のうちの１つが第３対象光源として選択され、残りの中央１／３の領域内に配置された複数の光源１１１のうちの１つが第２対象光源として選択される。そして、第１対象光源に対応する光センサ１１３が第１検出用光センサとして選択され、第２対象光源に対応する光センサ１１３が第２検出用光センサとして選択され、第３対象光源に対応する光センサ１１３が第３検出用光センサとして選択される。
【００７３】
例えば、１番目の発光調整処理においては、光源１１１（１，１，１）が第１対象光源として選択され、光源１１１（２，１，１）が第２対象光源として選択され、光源１１１（３，１，１）が第３対象光源として選択される。また、光センサ１１３（１，１）が第１検出用光センサとして選択され、光センサ１１３（２，１）が第２検出用光センサとして選択され、光センサ１１３（３，１）が第３検出用光センサとして選択される。そして、光源１１１（１，１，１）、光源１１１（２，１，１）、及び、光源１１１（３，１，１）のみが点灯させられた状態で、光センサ１１３（１，１）、光センサ１１３（２，１）、及び、光センサ１１３（３，１）を用いた光検出が行われる。
【００７４】
図１４は、１番目の発光調整処理における点灯状態の一例を示す模式図である。
図１４の例では、光源１１１（１，１，１）、光源１１１（２，１，１）、及び、光源１１１（３，１，１）の合計３つの光源１１１が点灯しており、他の光源１１１は全て消灯している。
図１４に示すように、光源１１１（１，１，１）に対応する光センサ１１３（１，１）には、光源１１１（１，１，１）からの対応光３３０（１，１，１）が入射する。また、図１４に示すように、光センサ１１３（１，１）には、光源１１１（２，１，１）からの
漏れ光３３１Ａ（２，１，１）と光源１１１（３，１，１）からの漏れ光３３１Ａ（３，１，１）も入射する。
光源１１１（２，１，１）に対応する光センサ１１３（２，１）には、光源１１１（２，１，１）からの対応光３３０（２，１，１）が入射する。また、光センサ１１３（２，１）には、光源１１１（１，１，１）からの漏れ光３３１Ｂ（１，１，１）と光源１１１（３，１，１）からの漏れ光３３１Ｂ（３，１，１）も入射する。
光源１１１（３，１，１）に対応する光センサ１１３（３，１）には、光源１１１（３，１，１）からの対応光３３０（３，１，１）が入射する。また、光センサ１１３（３，１）には、光源１１１（１，１，１）からの漏れ光３３１Ｃ（１，１，１）と光源１１１（２，１，１）からの漏れ光３３１Ｃ（２，１，１）も入射する。
このように、本実施例では、発光調整処理において、検出用光センサに１つの対応光と２つの漏れ光の合成光が入射される。
【００７５】
本実施例では、実施例１と同様に、影響情報が不揮発メモリ１２６に記録される。
影響情報（影響度合いＥ）の取得方法は、実施例１と同じである。
以下では、光源Ｂｍに対応する光センサの光検出値に対する光源Ａｍからの漏れ光の影響度合いをＥＡｍ−Ｂｍと記載し、光源Ｃｍに対応する光センサの光検出値に対する光源Ａｍからの漏れ光の影響度合いをＥＡｍ−Ｃｍと記載する。同様に、光源Ａｍに対応する光センサの光検出値に対する光源Ｂｍからの漏れ光の影響度合いをＥＢｍ−Ａｍと記載し、光源Ｃｍに対応する光センサの光検出値に対する光源Ｂｍからの漏れ光の影響度合いをＥＢｍ−Ｃｍと記載する。光源Ａｍに対応する光センサの光検出値に対する光源Ｃｍからの漏れ光の影響度合いをＥＣｍ−Ａｍと記載し、光源Ｂｍに対応する光センサの光検出値に対する光源Ｃｍからの漏れ光の影響度合いをＥＣｍ−Ｂｍと記載する。光源Ａｍは、ｍ番目の発光調整処理における第１対象光源であり、光源Ｂｍは、ｍ番目の発光調整処理における第２対象光源であり、光源Ｃｍは、ｍ番目の発光調整処理における第３対象光源である。
【００７６】
本実施例では、ｍ番目の発光調整処理において、第１対象光源Ａｍ、第２対象光源Ｂｍ、及び、第３対象光源Ｃｍのみが点灯させられる。そして、そのような点灯状態において、第１検出用光センサの光検出値Ｖ［３３０（Ａｍ）＋３３１Ａ（Ｂｍ）＋３３１Ａ（Ｃｍ）］、第２検出用光センサの光検出値Ｖ［３３０（Ｂｍ）＋３３１Ｂ（Ａｍ）＋３３１Ｂ（Ｃｍ）］、及び、第３検出用光センサの光検出値Ｖ［３３０（Ｃｍ）＋３３１Ｃ（Ａｍ）＋３３１Ｃ（Ｂｍ）］が取得される。既に述べたとおり、第１検出用光センサは第１対象光源Ａｍに対応する光センサ１１３であり、第２検出用光センサは第２対象光源Ｂｍに対応する光センサ１１３であり、第３検出用光センサは第３対象光源Ｃｍに対応する光センサ１１３である。
【００７７】
ここで、光検出値Ｖ［３３０（Ａｍ）＋３３１Ａ（Ｂｍ）＋３３１Ａ（Ｃｍ）］は、光源Ａｍからの対象光を示す成分値Ｖ３３０（Ａｍ）、光源Ｂｍからの漏れ光を示す成分値Ｖ３３１Ａ（Ｂｍ）、及び、光源Ｃｍからの漏れ光を示す成分値Ｖ３３１Ａ（Ｃｍ）の和である。そして、成分値Ｖ３３１Ａ（Ｂｍ）は、光源Ｂｍからの対象光を示す成分値Ｖ３３０（Ｂｍ）と影響度合いＥＢｍ−Ａｍの積であり、成分値Ｖ３３１Ａ（Ｃｍ）は、光源Ｃｍからの対象光を示す成分値Ｖ３３０（Ｃｍ）と影響度合いＥＣｍ−Ａｍの積である。そのため、光検出値Ｖ［３３０（Ａｍ）＋３３１Ａ（Ｂｍ）＋３３１Ａ（Ｃｍ）］、成分値Ｖ３３０（Ａｍ）、成分値Ｖ３３０（Ｂｍ）、影響度合いＥＢｍ−Ａｍ、成分値Ｖ３３０（Ｃｍ）、及び、影響度合いＥＣｍ−Ａｍの間には、以下の式６の関係が成り立つ。そして、光源Ａｍに対応する第１検出用光センサについての関係式として、以下の式６が予め用意されている。
Ｖ［３３０（Ａｍ）＋３３１Ａ（Ｂｍ）＋３３１Ａ（Ｃｍ）］
＝Ｖ３３０（Ａｍ）＋（Ｖ３３０（Ｂｍ）×ＥＢｍ−Ａｍ）＋（Ｖ３３０（Ｃｍ）×ＥＣｍ−Ａｍ）
・・・（式６）
【００７８】
同様に、光検出値Ｖ［３３０（Ｂｍ）＋３３１Ｂ（Ｂｍ）＋３３１Ｂ（Ｃｍ）］、成分値Ｖ３３０（Ａｍ）、成分値Ｖ３３０（Ｂｍ）、影響度合いＥＡｍ−Ｂｍ、成分値Ｖ３３０（Ｃｍ）、及び、影響度合いＥＣｍ−Ｂｍの間には、以下の式７の関係が成り立つ。そして、光源Ｂｍに対応する第２検出用光センサについての関係式として、以下の式７が予め用意されている。
Ｖ［３３０（Ｂｍ）＋３３１Ｂ（Ａｍ）＋３３１Ｂ（Ｃｍ）］
＝Ｖ３３０（Ｂｍ）＋（Ｖ３３０（Ａｍ）×ＥＡｍ−Ｂｍ）＋（Ｖ３３０（Ｃｍ）×ＥＣｍ−Ｂｍ）
・・・（式７）
【００７９】
そして、光検出値Ｖ［３３０（Ｃｍ）＋３３１Ｃ（Ａｍ）＋３３１Ｃ（Ｂｍ）］、成分値Ｖ３３０（Ａｍ）、成分値Ｖ３３０（Ｂｍ）、影響度合いＥＡｍ−Ｃｍ、成分値Ｖ３３０（Ｃｍ）、及び、影響度合いＥＢｍ−Ｃｍの間には、以下の式８の関係が成り立つ。そして、光源Ｃｍに対応する第３検出用光センサについての関係式として、以下の式８が予め用意されている。
Ｖ［３３０（Ｃｍ）＋３３１Ｃ（Ａｍ）＋３３１Ｃ（Ｂｍ）］
＝Ｖ３３０（Ｃｍ）＋（Ｖ３３０（Ａｍ）×ＥＡｍ−Ｃｍ）＋（Ｖ３３０（Ｂｍ）×ＥＢｍ−Ｃｍ）
・・・（式８）
【００８０】
本実施例では、式６〜式８からなる３元連立方程式を解くことにより、成分値Ｖ３３０（Ａｍ）が光源Ａｍの光値として算出され、成分値Ｖ３３０（Ｂｍ）が光源Ｂｍの光値として算出され、成分値Ｖ３３０（Ｃｍ）が光源Ｃｍの光値として算出される。
なお、Ｎの値が３より大きい場合であっても同様の方法でＮ個の関係式を導出することができる。そして、Ｎ個の関係式からなるＮ元連立方程式を解くことにより、発光調整処理で同時に点灯させられたＮ個の光源の光値を高精度に算出することができる。
【００８１】
以上述べたように、本実施例によれば、Ｎの値が３以上の場合であっても、実施例１と同様に、光源の光値を高精度に取得することができる。また、Ｎの値を大きくすることにより、全ての光源の光値を取得するのに要する時間をより短縮することができる。
【００８２】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００８３】
１０１  光源基板
１０５  カラー液晶パネル
１１１  光源
１１３  光センサ
１２５  マイコン
１２６  不揮発メモリ
【図１】
2015090394.tif 000006
【図２】
2015090394.tif 000007
【図３】
2015090394.tif 000008
【図４】
2015090394.tif 000009
【図５】
2015090394.tif 000010
【図６】
2015090394.tif 000011
【図７】
2015090394.tif 000012
【図８】
2015090394.tif 000013
【図９】
2015090394.tif 000014
【図１０】
2015090394.tif 000015
【図１１】
2015090394.tif 000016
【図１２】
2015090394.tif 000017
【図１３】
2015090394.tif 000018
【図１４】
2015090394.tif 000019